(57)【要約】      （修正有）【課題】蚕の繭を利用した起き上がり小法師に関し、より詳しくは蚕の繭の持つ本来の質感を損なうことなく作成できる繭の起き上がり小法師の構造に関すると共に、起き上がり小法師ののみならず、他の付加価値を有する繭の起き上がり小法師を提供する。【解決手段】繭の起き上がり小法師の構造は、長楕円形や楕円形、卵型、中くびれのある俵形といった形状を有する蚕の繭の、繭１の長軸方向の一端を繭の頂部１０とし、他の一端を繭の底部１１とし、繭の底部１１には接着剤等の固定手段４を塗布した永久磁石２や、石膏粉末等と複数個の金属球とを混ぜ合わせた後に石膏粉末を固化した固定手段４によりおもりとなして構成している。【選択図】図１
0003195556.tif 000002
【実用新案登録請求の範囲】
【請求項１】
蚕の繭１の長軸方向の一端を繭の頂部１０とし、他の一端を繭の底部１１とし、固定手段４を永久磁石２に塗布し繭の底部１１に固定して構成したことを特徴とする繭の起き上がり小法師。
【請求項２】
蚕の繭１の長軸方向の一端を繭の頂部１０とし、他の一端を繭の底部１１とし、固定手段４と複数個の金属球３とを混ぜ合わせた後に、繭の底部１１に固定して構成したことを特徴とする繭の起き上がり小法師。
【考案の詳細な説明】
【技術分野】
【０００１】  本考案は蚕の繭を利用した起き上がり小法師に関し、より詳しくは蚕の繭の持つ本来の質感を損なうことなく作成できる繭の起き上がり小法師の構造に関すると共に、起き上がり小法師ののみならず、他の付加価値を有する繭の起き上がり小法師の構造に関する。
【背景技術】
【０００２】  図７は従来の起き上がり小法師を示す図であり、起き上がり小法師の一例として福島県会津地方に古くから伝わる縁起物・郷土玩具の例である。基本構造は達磨（ダルマ）と一緒であり本体中心下部に金属や粘土などのおもりを入れる事により「倒しても起き上がる」という仕掛けを可能にしている。円錐に近い形で、大きさは小さい物では高さ３センチ、胴回りは７センチ程度で手のひらに乗る大きさである。【０００３】  従来の起き上がり小法師の作り方は、張り子の木型を削るところから始まり、完成した木型に和紙を何枚も貼り付けて張り子を作り、おもりをつけたら本体の完成で、出来上がった張り子に胡粉で白くお化粧し、漆の塗料で色をつけ、最後の仕上げは顔の描き込みで、熟練された職人の手によるものでした。
【考案の概要】
【考案が解決しようとする課題】
【０００４】  従来の起き上がり小法師では、起き上がり小法師として楽しむといった機能しか有しておらず、他の付加機能を有していないといった課題を有する。【０００５】  又、従来の起き上がり小法師は、起き上がり小法師としては何ら不都合な点はなく商品として売られているが、本考案が目的としている蚕の繭を使用した起き上がり小法師ではないので蚕の繭の持つ質感を活かした起き上がり小法師を得られないといった課題を有する。
【課題を解決するための手段】
【０００６】  本考案の繭の起き上がり小法師の構造は、蚕の繭１の長軸方向の一端を繭の頂部１０とし、他の一端を繭の底部１１とし、接着剤等の固定手段４を永久磁石２に塗布し繭の底部１１に固定して構成している。【０００７】  又、本考案の他の繭の起き上がり小法師の構造は、蚕の繭１の長軸方向の一端を繭の頂部１０とし、他の一端を繭の底部１１とし、石膏粉末等による固定手段４と複数個の金属球３とを混ぜ合わせた後に、繭の底部１１に固定して構成している。
【考案の効果】
【０００８】  本考案による繭の起き上がり小法師は、接着剤等の固定手段４を永久磁石２に塗布し、繭の底部１１に固定して構成しているので、繭１の中の永久磁石２の作用により冷蔵庫のドアーのような強磁性体１２にくっつくことができるので、用紙を固定するマグネットと同様の機能を持たせることができ、起き上がり小法師として楽しむといった他に、用紙止め等の他の負荷機能を有しているといった効果を有するのである。【０００９】  又、本考案による繭の起き上がり小法師は、石膏粉末等の固定手段４と複数の金属球３とを混ぜ合わせた後に、繭の底部１１固定して構成しているので、蚕の繭の持つ質感をそのまま活かした起き上がり小法師を得ることができるといった効果を有するのである。
【図面の簡単な説明】
【００１０】
【図１】  永久磁石による繭の起き上がり小法師の内部構造図。
【図２】  金属球による繭の起き上がり小法師の内部構造図。
【図３】  永久磁石による繭の起き上がり小法師使用例図。
【図４】  繭の外観を示す図。
【図５】  繭を水槽に漬けた様子を示す図。
【図６】  繭を箱に並べた様子を示す図。
【図７】  従来の起き上がり小法師を示す図。
【考案を実施するための形態】
【００１１】  以下、本考案の繭の起き上がり小法師について図面を参照して詳細に説明する。
【００１２】  図１は永久磁石による繭の起き上がり小法師の内部構造図、図２は金属球による繭の起き上がり小法師の内部構造図、図３は永久磁石による繭の起き上がり小法師使用例図、図４は繭の外観を示す図、図５は繭を水槽に漬けた様子を示す図、図６は繭を箱に並べた様子を示す図、である。
【００１３】  本考案の繭の起き上がり小法師の構造は、
（イ）長楕円形（長円形または角丸長方形とも言う。）や楕円形、卵型、中くびれのある俵形といった形状を有する蚕の繭１の、
（ロ）繭１の長軸方向の一端を繭の頂部１０とし、他の一端を繭の底部１１とし、
（ハ）繭の底部１１には、磁極と呼ばれる二つの極を持ち、双極性の磁場を発生させる源である永久磁石２に接着剤等の固定手段４を塗布しておもりとなして固定している。
【００１４】  又、本考案の別の繭の起き上がり小法師の構造は、
（イ）長楕円形（長円形または角丸長方形とも言う。）や楕円形、卵型、中くびれのある俵形といった形状を有する蚕の繭１の、
（ロ）繭１の長軸方向の一端を繭の頂部１０とし、他の一端を繭の底部１１とし、
（ハ）繭の底部１１には石膏粉末と複数個の金属球３とを混ぜ合わせた後に石膏粉末を固化した固定手段４によりおもりとなして固定している。
本考案の繭の起き上がり小法師は以上のように構成されている。
【００１５】  本考案の繭の起き上がり小法師の作成方法の一例を示すと、
（イ）例えば、長楕円形（長円形または角丸長方形とも言う。）の形状をした蚕の繭の底部１１を十文字状に切って切り口５となし、
（ロ）繭１の中に入っている蚕のさなぎを切り口５より取り出し、
（ハ−１）永久磁石による繭の起き上がり小法師では、永久磁石２の底面に固定手段４である接着剤を塗布して切り口５より繭１の内部に入れて固化すれば良い。
（ハ−２）又、金属球による繭の起き上がり小法師では、切り口５より複数の金属球３と石膏の粉末を繭１の内部に入れて、繭１の内部内側全体に石膏の粉末が軽く付着するように繭１を軽く振り、
（ニ）繭の底部１１を下面にして繭１の全体を水槽７の水８の中に沈めて吸水し、
（ホ）吸水した繭１は、繭の底部１１を下面にして仕切りの付いた箱９に繭１が概ね垂直になるように整列して入れ、
（ヘ）仕切りの付いた箱９に超音波振動等の微振動を数秒間与えた後に石膏の粉末が水８により固化するまで乾燥させる。
以上が本考案の繭の起き上がり小法師の作成方法の一例である。
【００１６】  前記作成方法の一例の中で述べた永久磁石２は、直径はおよそ８ｍｍ程度の円盤形状で厚さはおよそ２．５ｍｍ程度のネオジウム磁石であり、ネオジウム磁石は重量が軽いので本考案の例では円盤形状のネオジウム磁石に円盤状の鉄等による重さが５ｇ程度の錘６を固着している。
【００１７】  又、前記作成方法の一例の中で述べた複数の金属球３とは、直径はおよそ２ｍｍ前後の鉄球やステンレス球を総重量でおよそ５ｇ程度になるように計量された複数の金属球３である。
【００１８】  前記作成方法の一例の中で述べた繭１の全体を水槽７の中の水８に沈める時間は、繭１の繊維を通して水８が繭１の内側に到達する程度の数分間の時間であり、水８が繭１の内部内側に浸透することにより繭１の内部内側に付着した石膏の粉末が水に溶け、その後に乾燥することで繭１の内側に薄い石膏の膜を作り、繭１の全体の強度を強くするためである。
【００１９】  前記作成方法の一例の中で述べた仕切りの付いた箱９に超音波振動等の微振動を数秒間与える理由は、切り口５より入れた永久磁石２や複数の金属球３と石膏の粉末が、繭１の全体を水槽７の水８の中に沈めることにより石膏の粉末が液状化してどろどろ状態の固定手段４となるが、どろどろ状態の固定手段４の中の永久磁石２や複数の金属球３をより繭の底部１１近くに沈殿させておもりとしての効果を大きくすることが目的である。
【００２０】  前記作成方法の一例の中で述べた仕切りの付いた箱９に繭１が概ね垂直になるように整列して入れた後に、石膏の粉末が水８により固化するまで乾燥させる理由は、複数の金属球３を混入したどろどろ状態の固定手段４を繭の底部１１のほぼ中央で固化させて、本考案の繭の起き上がり小法師が常に概ね垂直に立つようにすることを目的としている。
【００２１】  本考案の繭の起き上がり小法師は、全体を水槽７の中の水８に沈めた後に乾燥させているが、単純に水８に沈めて乾燥するのみであるので、乾燥した繭の質感は本来の繭の質感と何ら変わることはなく、蚕の繭の持つ質感をそのまま活かした起き上がり小法師を得ることができるのである。
【００２２】  本考案の繭の起き上がり小法師の作用は、従来の起き上がり小法師や達磨（ダルマ）と同様に、横に寝かせたり、軽く投げたりすれば、繭の起き上がり小法師は固定手段４と固定手段４により固着された永久磁石２と錘６の作用により、繭の底部１１を下面としてほぼ垂直に立って起き上がり小法師として作用するのみならず、繭１の中の永久磁石２の作用により冷蔵庫のドアーのような強磁性体１２にくっつくことができるので、用紙を固定するマグネットと同様の機能を持たせることができ、起き上がり小法師として楽しむといった機能の他に、用紙止め等の他の負荷機能を有しているのである。
【００２３】  又、本考案の他の繭の起き上がり小法師の作用は従来の起き上がり小法師や達磨（ダルマ）と同様に、横に寝かせたり、軽く投げたりすれば、繭の起き上がり小法師は固定手段４と固定手段４の中の複数の金属球３によるおもりの作用により、繭の底部１１を下面としてほぼ垂直に立つのである。
【００２４】  本考案の繭の起き上がり小法師は、前記作成方法の一例では蚕の繭の本来の形状や質感を示すのみであるが、適当の塗料等によりこけしのような顔や服装を線分にて描くことにより、蚕の繭の質感をほとんど損なうことなく、かわいい人形のような繭の起き上がり小法師を得ることができるのである。
【符号の説明】
【００２５】  １  繭
２  永久磁石
３  金属球
４  固定手段
５  切り口
６  錘
７  水槽
８  水
９  仕切りの付いた箱
１０  繭の頂部
１１  繭の底部
１２  強磁性体
【図１】
0003195556.tif 000003
【図２】
0003195556.tif 000004
【図３】
0003195556.tif 000005
【図４】
0003195556.tif 000006
【図５】
0003195556.tif 000007
【図６】
0003195556.tif 000008
【図７】
0003195556.tif 000009